(57)【要約】【課題】素手で直接触れなくても内容物を塗布することができ、また、従来よりも商品価値を向上させることが可能なポンプ容器を提案する。【解決手段】本発明のポンプ容器は、内容物を収容する容器本体１０と、容器本体１０の口部１３に装着され、ステム２６を押圧することによって駆動して容器本体１０の内容物を吸引するポンプ２０と、ステム２６に装着され、ポンプ２０で吸引した内容物の排出口４３を備える天壁４２を有する受皿部材４０と、天壁４２によって支持され、排出口４３に通じる少なくとも１つの吐出口５３を有するとともに吐出口５３を通過した内容物を載せ置く塗布具５０と、を備える。【選択図】図１
2019127298.tif 000002
【特許請求の範囲】
【請求項１】
内容物を収容する容器本体と、
前記容器本体の口部に装着され、ステムを押圧することによって駆動して該容器本体の内容物を吸引するポンプと、
前記ステムに装着され、前記ポンプで吸引した内容物の排出口を備える天壁を有する受皿部材と、
前記天壁によって支持され、前記排出口に通じる少なくとも１つの吐出口を有するとともに該吐出口を通過した内容物を載せ置く塗布具と、を備えるポンプ容器。
【請求項２】
前記塗布具は、前記天壁よりも径方向外側に突出する持ち手を有する請求項１に記載のポンプ容器。
【請求項３】
前記受皿部材に対して開閉可能に設けられる蓋体を備え、該蓋体は、前記塗布具との間に前記吐出口を通過した内容物を収める空間を有する請求項１又は２に記載のポンプ容器。
【請求項４】
前記受皿部材は、前記塗布具よりも径方向外側において、前記天壁から上方に向けて突出する脱落防止壁を有する請求項１〜３の何れか一項に記載のポンプ容器。
【請求項５】
前記ポンプは、吸引した内容物を、空気とともに通過させることによって発泡させる発泡部材を備える請求項１〜４の何れか一項に記載のポンプ容器。
【請求項６】
前記ポンプは、小径筒体と大径筒体を直列状に連結させたシリンダーと、該小径筒体に対して摺動可能に設けられ前記容器本体の内容物を該小径筒体に吸引して前記発泡部材に向けて圧送する中空ピストンと、該大径筒体に対して摺動可能に設けられ該大径筒体の空気を該発泡部材に向けて圧送するエアーピストンとを備える請求項５に記載のポンプ容器。
【発明の詳細な説明】
【技術分野】
【０００１】
本発明は、ポンプによって容器本体の内容物を吸引して吐出することが可能なポンプ容器に関するものである。
【背景技術】
【０００２】
従来、ステムを押圧することによって駆動するポンプを備え、このポンプによって容器本体の内容物を吸引して吐出するポンプ容器が使用されている。このようなポンプ容器は種々のものが知られていて、例えば特許文献１には、ステムに対し、径方向外側に向かって上向きに湾曲するとともに中央部に吐出口を設けた受皿を装着した受皿付きポンプ容器が開示されている。このような受皿付きポンプ容器によれば、受皿を押圧することによってステムも押し込まれ、これによってポンプを駆動させて内容物を吸引することができる。また吸い上げられた内容物は、吐出口を通して受皿の上に取り出されるため、指などで拭い取って手や顔などに塗布することが可能である。またこのようなポンプ容器においては、内容物を拭い取る際に受皿の外側に溢れるのを防止するため、受皿にガイド壁を設けたものも知られている（例えば特許文献２参照）。
【先行技術文献】
【特許文献】
【０００３】
【特許文献１】特開２００２−２５３９９９号公報
【特許文献２】特開２０１４−８９９９号公報
【発明の概要】
【発明が解決しようとする課題】
【０００４】
このようなポンプ容器によれば、受皿を押圧するだけの簡単な操作で内容物を取り出すことができるという利点があるものの、素手で直接触れずに内容物を塗布したいとする要望があった。また、市場シェアを拡大するべく、従来のポンプ容器との差別化を図って商品価値を高めることも求められていた。
【０００５】
このような事情に鑑みて本発明では、素手で直接触れなくても内容物を塗布することができ、また、従来よりも商品価値を向上させることが可能なポンプ容器を提供することを目的とする。
【課題を解決するための手段】
【０００６】
本発明は、内容物を収容する容器本体と、
前記容器本体の口部に装着され、ステムを押圧することによって駆動して該容器本体の内容物を吸引するポンプと、
前記ステムに装着され、前記ポンプで吸引した内容物の排出口を備える天壁を有する受皿部材と、
前記天壁によって支持され、前記排出口に通じる少なくとも１つの吐出口を有するとともに該吐出口を通過した内容物を載せ置く塗布具と、を備えるポンプ容器である。
【０００７】
前記塗布具は、前記天壁よりも径方向外側に突出する持ち手を有することが好ましい。
【０００８】
前記受皿部材に対して開閉可能に設けられる蓋体を備え、該蓋体は、前記塗布具との間に前記吐出口を通過した内容物を収める空間を有することが好ましい。
【０００９】
前記受皿部材は、前記塗布具よりも径方向外側において、前記天壁から上方に向けて突出する脱落防止壁を有することが好ましい。
【００１０】
前記ポンプは、吸引した内容物を、空気とともに通過させることによって発泡させる発泡部材を備えることが好ましい。
【００１１】
前記ポンプは、小径筒体と大径筒体を直列状に連結させたシリンダーと、該小径筒体に対して摺動可能に設けられ前記容器本体の内容物を該小径筒体に吸引して前記発泡部材に向けて圧送する中空ピストンと、該大径筒体に対して摺動可能に設けられ該大径筒体の空気を該発泡部材に向けて圧送するエアーピストンとを備えることが好ましい。
【発明の効果】
【００１２】
本発明のポンプ容器によれば、内容物が載せ置かれた塗布具を取り外すことができるため、素手で直接触れなくても内容物を塗布することができる。また、塗布具に設けた吐出口の数や配置、形状などを適宜選択することによって、吐出口から排出される内容物を様々な外形（例えば動物や植物を模した形や記号など）で形作ることができ、見た目に優れるため、商品価値の向上にも寄与する。
【００１３】
このような塗布具に対し、天壁よりも径方向外側に突出する持ち手を設ける場合は、塗布具に載せ置かれた内容物に対して手が触れにくくなるうえ、塗布具の取り出しも行いやすくなる。
【００１４】
また、受皿部材に対して開閉可能であって、塗布具との間に吐出口を通過した内容物を収める空間を有する蓋体を設ける場合は、閉じた蓋体を押し下げることによってステムを押圧することができるため、ポンプを簡単に駆動させることができる。また、蓋体と塗布具との間には空間が設けられているため、塗布具に載せ置かれた内容物が蓋体に触れることもない。
【００１５】
また受皿部材に、塗布具よりも径方向外側において、天壁から上方に向けて突出する脱落防止壁を設ける場合は、塗布具を不用意に脱落させてしまうことがない。
【００１６】
容器本体に収容する内容物は、様々なものを選択可能であるが、空気と混合して発泡する性質のものを採用する場合には、ポンプに発泡部材を設けて吐出口から排出される内容物を発泡させることによって、塗布具に載せ置かれる内容物の外形をしばらくの間維持することができる。なお、内容物を発泡させるにあたっては、ポンプの小型化や構成の簡素化の観点から、小径筒体と大径筒体を直列状に連結させたシリンダーと、小径筒体に対して摺動可能に設けられ、容器本体の内容物を小径筒体に吸引して発泡部材に向けて圧送する中空ピストンと、大径筒体に対して摺動可能に設けられ、大径筒体の空気を発泡部材に向けて圧送するエアーピストンとを備えるものを採用することが好ましい。
【図面の簡単な説明】
【００１７】
【図１】本発明に従うポンプ容器の一実施形態を示した側面視での断面図である。
【図２】図１に示したポンプ容器の平面図（容器本体は除く）である。
【図３】図１に示すポンプ容器から内容物を吐出する状況を説明する図であって、（ａ）は閉じた蓋体を押圧した状態であり、（ｂ）は蓋体を開く状態であり、（ｃ）は蓋体を開いた後に塗布具を取り出した状態である。
【図４】本発明に従う塗布具の変形例を示す、（ａ）は平面図であり、（ｂ）は中央での断面図である。
【図５】本発明に従う塗布具の他の変形例を示す、（ａ）は平面図であり、（ｂ）は中央での断面図である。
【図６】本発明に従う塗布具の更に他の変形例を示す、（ａ）は平面図であり、（ｂ）は中央での断面図である。
【発明を実施するための形態】
【００１８】
以下、図１を参照して、本発明に従うポンプ容器の一実施形態について説明する。なお、本明細書等において、「上」側、「下」側とは、図１に示すように容器本体（符号１０）が下方に位置し、蓋体（符号６０）が上方に位置する状態での向きをいう。また「前」側は、蓋体の指掛け部（符号６４）が位置する側であり、「後」側とは、蓋体の内側支持部（符号６２）が位置する側である。
【００１９】
本実施形態のポンプ容器は、容器本体１０、ポンプ２０、受皿部材４０、塗布具５０、及び蓋体６０を備えている。
【００２０】
容器本体１０は、板状の底部１１と、底部１１の外縁部に連結するとともに上方に向かって徐々に縮径するように湾曲した胴部１２と、胴部１２から上方に向かって起立する円筒状の口部１３とを備えている。底部１１、胴部１２、及び口部１３で取り囲まれる空間（収容空間）Ｓ１には、内容物を収容することが可能である。なお、収容空間Ｓ１に収める内容物としては、空気と混合して発泡するものや、乳液のようにある程度粘性のあるものなど、吐出させた際にしばらくの間形状が維持される保型性を有するものが好ましい。そして口部１３の外周面には、雄ねじ部１４が設けられている。
【００２１】
ポンプ２０は、ベースキャップ２１、シリンダー２２、パッキン２３、中空ピストン２４、ポペット２５、ステム２６、スプリング２７、ボール弁２８、エアーピストン２９、逆止弁３０、ホルダー３１、発泡部材３２によって構成されている。
【００２２】
ベースキャップ２１は、ポンプ２０を口部１３に保持するものである。本実施形態では、有蓋筒状をなすとともに中央部に貫通孔を有するベースキャップ本体２１ａを備えている。またベースキャップ本体２１ａの内周面には、雄ねじ部１４に対応する形状となる雌ねじ部２１ｂが設けられている。なお、口部１３にベースキャップ２１を保持するにあたっては、雄ねじ部１４及び雌ねじ部２１ｂによるものに限られず、例えばアンダーカットを利用する構造であってもよい。
【００２３】
シリンダー２２は、下方に位置する小径筒体２２ａと、小径筒体２２ａの上端部に連結する大径筒体２２ｂとを備え、小径筒体２２ａと大径筒体２２ｂとを直列状に配置した構成をなすものである。小径筒体２２ａの下端部は開口していて、この開口を通して収容空間Ｓ１の内容物を小径筒体２２ａに吸引することが可能である。また大径筒体２２ｂの上端部は、ベースキャップ２１に嵌合保持されるよう構成されていて、これによりベースキャップ２１を口部１３に装着することで、シリンダー２２は容器本体１０に吊り下げ保持される。
【００２４】
パッキン２３は、ドーナツ状をなすものであり、大径筒体２２ｂに挿入されて保持されている。なお、パッキン２３は、ベースキャップ２１を口部１３に装着した際に口部１３と大径筒体２２ｂに挟み込まれるものであり、これにより収容空間Ｓ１は液密且つ気密に閉鎖される。
【００２５】
中空ピストン２４は、概略、円筒状をなすものであって、小径筒体２２ａの軸線に沿って移動可能に設けられている。なお、中空ピストン２４の上端部は、径方向内側に向けて縮径している。また中空ピストン２４の下端部は、上下方向に長く延在していて、小径筒体２２ａの内周面に対して摺動可能に当接している。
【００２６】
ポペット２５は、概略、棒状をなしていて、小径筒体２２ａ及び中空ピストン２４の内側において小径筒体２２ａの軸線に沿って移動可能に配されている。なお、ポペット２５の上端部は、上方に向けて拡径していて、通常時は中空ピストン２４の上端部と液密に当接する一方、ポペット２５に対して中空ピストン２４が下方へ移動すると、中空ピストン２４の上端部との間に隙間が形成される。またポペット２５の下端部は、下方に移動した際には小径筒体２２ａの下端部における開口を閉鎖するように構成されている。
【００２７】
ステム２６は、中空ピストン２４よりも一回り大きく形成される円筒状をなすものであり、下端部の内側には中空ピストン２４が挿入されている。また中空ピストン２４の上部内側には、中央部に貫通孔を有するとともにボール弁２８を下方から支持する支持壁２６ａが設けられている。
【００２８】
スプリング２７は、本実施形態では螺旋状に巻き回されるものである。ここでスプリング２７は、ポペット２５の径方向外側であって、中空ピストン２４とポペット２５との間に配されている。これにより中空ピストン２４は、ポペット２５に対して離反する向きに付勢される。
【００２９】
ボール弁２８は、球状をなすものであって、通常時は自重によって下方へ移動して支持壁２６ａと全周に亘って当接する一方、ステム２６の内側における圧力が高まると支持壁２６ａから離反するものである。
【００３０】
エアーピストン２９は、大径筒体２２ｂの内周面に当接するとともにその軸線に沿って摺動可能に設けられたエアーピストン本体部２９ａを備えている。エアーピストン本体部２９ａの径方向内側には、ステム２６を取り囲む円筒状の筒状ガイド２９ｂが設けられている。なお、筒状ガイド２９ｂの内周面とステム２６の外周面との間には、後述するようにエアーピストン本体部２９ａで加圧された空気が通る隙間が設けられている。またエアーピストン本体部２９ａと筒状ガイド２９ｂとの連結部には、外界からの空気を大径筒体２２ｂ内に取り込むための導入口２９ｃが設けられている。
【００３１】
逆止弁３０は、筒状ガイド２９ｂの外周面に嵌合保持されている。逆止弁３０は、導入口２９ｃを開閉するものであって、通常時はエアーピストン本体部２９ａの裏面に当接して導入口２９ｃを閉鎖する一方、大径筒体２２ｂ内が負圧になるとエアーピストン本体部２９ａの裏面から離反して導入口２９ｃを解放する。
【００３２】
ホルダー３１は、概略、円筒状をなすものであって、ステム２６の上端部に嵌合保持され、ボール弁２８の抜け出しを阻止している。なお、ステム２６の内側であって、支持壁２６ａとホルダー３１の間には、空間（合流空間）Ｇが形成されている。また、ホルダー３１がステム２６に嵌合保持されている部位において、ステム２６の内周壁とホルダー３１の外周壁との間には、合流空間Ｇに向けて空気を流す隙間が設けられている。
【００３３】
発泡部材３２は、これを通過する内容物と空気とを発泡させるものである。本実施形態では、円筒状をなすベースの片面に網目状のメッシュを設けた構造をなしていて、直列状に２個並べた状態でホルダー３１に嵌合保持されている。なお、発泡部材３２の数や配置、及びメッシュの目の大きさなどは、塗布される内容物が最適な泡質になるように適宜選択される。
【００３４】
そして受皿部材４０は、ホルダー３１を取り囲んでステム２６に嵌合保持される円筒状の内側筒４１を備えている。なお、内側筒４１の内周面とステム２６の外周面との間には、空気の通る通路が設けられている。これにより、エアーピストン本体部２９ａによって大径筒体２２ｂが加圧されると、大径筒体２２ｂ内の空気は、筒状ガイド２９ｂの内周面とステム２６の外周面の間の隙間、内側筒４１の内周面とステム２６の外周面との間の隙間、及びステム２６の内周壁とホルダー３１の外周壁との間の隙間を通って合流空間Ｇに導入される。
【００３５】
また内側筒４１は、水平方向に延在する天壁４２に連結していて、天壁４２には、内容物を排出する排出口４３が設けられている。また天壁４２の上面には、排出口４３から上方に向かって拡径する凹部４４が設けられている。更に天壁４２の上面における外縁部には、図１の拡大図に示すように、上方に向けて突出する壁（脱落防止壁）４５が設けられている。なお、本実施形態の脱落防止壁は、周方向に切れ目なく環状に設けられているが、途中を分断して間欠状に設けてもよい。また天壁４２の後側には、図２に示すように間隔をあけて一対設けられ、蓋体６０を回動可能に支持する外側支持部４６が設けられている。なお外側支持部４６には、幅方向にこれらを貫く外側軸孔４７が設けられている。
【００３６】
塗布具５０は、板状をなし、天壁４２によって支持される塗布具本体５１を備えている。本実施形態の塗布具本体５１は、図２に示すように、平面視において円板状をなすものであって、図１の拡大図に示すように、脱落防止壁４５の径方向内側に収まる大きさで形成されている。また塗布具本体５１は、天壁４２よりも径方向外側に突出する持ち手５２を備えている。更に塗布具本体５１は、塗布具本体５１を貫通する少なくとも１つの吐出口５３を備えている。本実施形態の吐出口５３は、図２に示すように円形であって、また排出口４３を中心として等間隔で合計６つ設けられている。また吐出口５３は、凹部４４に収まる位置に設けられていて、凹部４４を介して排出口４３に通じている。なお、本実施形態の塗布具５０は表裏の区別がなく、受皿部材４０に対して何れの側でもセットすることが可能であり、また何れの側にセットしても内容物を同じように吐出させることができるが、塗布具５０の表と裏で吐出口５３の形状を相異させて、受皿部材４０に塗布具５０をセットする向きに応じて内容物の吐出形態を変えるようにしてもよい。なおこの場合は、塗布具本体５１や持ち手５２に対して、表裏の表示や内容物の吐出形態に関する表示を設けることが好ましい。
【００３７】
蓋体６０は、概略、ドーム状をなしていて、塗布具５０との間に空間Ｓ２を形成する蓋体本体６１を備えている。本実施形態の蓋体本体６１は、図１に示すように塗布具５０に被さる状態において、下端部が塗布具本体５１の外縁部上面に対して全周に亘って当接している。なお、蓋体本体６１の下端部は、外縁部上面に対して周方向に部分的に（間欠状に）当接するものでもよい。これにより塗布具５０は、受皿部材４０と蓋体６０によって上下方向に挟まれた状態で保持されている。なお、塗布具５０を上下方向に保持するにあたっては、図示したような蓋体本体６１の下端部で全周に亘って当接させる構成に替えて、或いは図１に示すようにこの構成と兼用して、図中に仮想線で示すリブ６１ａを設けてもよい。また図示は省略するが、蓋体本体６１の下端部を持ち手５２の幅に合わせて周方向に切り欠きを設け、この切り欠きに持ち手５２が収まるようにして塗布具５０を周方向に位置決めしてもよい。
【００３８】
そして蓋体本体６１の後側には、図２に示すように外側支持部４６の間に位置する内側支持部６２が設けられている。本実施形態の内側支持部６２には、外側軸孔４７と位置及び大きさが共通する内側軸孔６３が設けられている。なお、外側軸孔４７と内側軸孔６３には、これらを挿通する軸体Ｊが配されていて、これにより蓋体６０は、受皿部材４０に対して開閉するように回動する。なお、蓋体６０を受皿部材４０に対して開閉させる構造としては、これらを一体に連結する薄肉状のヒンジであってもよい。また、受皿部材４０に対して蓋体６０を分離可能とする一方、アンダーカットやねじ等によって両者が保持されるものでもよい。そして蓋体本体６１の前側には、径方向外側に向けて突出する指掛け部６４が設けられている。なお、蓋体６０は不透明であってもよいが、空間Ｓ２の様子が外側から視認できるように透明（無色透明でも有色透明でもよい）であることが好ましい。
【００３９】
このような構成になるポンプ容器から内容物を吐出させるには、図３（ａ）に示すように蓋体６０を閉じた状態にしておき、これを上方から押圧する。これにより、受皿部材４０とともにステム２６も押圧されてポンプ２０が駆動する。この点を図１を参照しながら説明すると、ステム２６への押圧によって、スプリング２７を弾性変形させつつ中空ピストン２４も押し下げられ、更にポペット２５の下端部が小径筒体２２ａの開口を閉鎖するため、小径筒体２２ａ内は加圧される。そして加圧された小径筒体２２ａの内容物は、ステム２６内を圧送され、中空ピストン２４の上端部とポペット２５の上端部との間の隙間を通過し、更にボール弁２８を押し上げつつ支持壁２６ａの貫通孔を通り抜けて合流空間Ｇに流れ込む。またステム２６が押圧される際は、エアーピストン２９も押し下げられるため、大径筒体２２ｂ内が加圧される。これにより大径筒体２２ｂの空気は、筒状ガイド２９ｂの内周面とステム２６の外周面の間の隙間、内側筒４１の内周面とステム２６の外周面との間の隙間、及びステム２６の内周壁とホルダー３１の外周壁との間の隙間を通って合流空間Ｇに流れ込む。そして合流空間Ｇにおいて内容物と空気とが混ざり合った後、これらが発泡部材３２を通過することによって、内容物を発泡させることができる。
【００４０】
発泡部材３２によって発泡した内容物は、排出口４３、及び凹部４４を通過して吐出口５３から吐出される。なお、吐出された内容物は発泡しており保型性があるため、図３（ｂ）に示すように塗布具５０に載せ置かれた状態になる。ここで、塗布具５０に載せ置かれる内容物は、吐出口５３の数や配置、形状などを適宜選択することによって、例えば動物や植物を模した形や記号などの外形で形作ることができる。なお、塗布具５０の上方には蓋体６０が設けられているが、塗布具５０と蓋体６０との間には空間Ｓ２が設けられているため、内容物の外形が蓋体６０によって崩されることはない。また本実施形態の蓋体本体６１は透明であるため、図３（ｂ）に示すように蓋体６０を閉じた状態でも内容物の外形を視認することが可能である。
【００４１】
なお、蓋体６０への押圧を解除すると、スプリング２７の復元力によって中空ピストン２４は上方へ移動し、それに伴い小径筒体２２ａ内は負圧となるため、ポペット２５によって閉じられていた小径筒体２２ａの開口が開放されて、収容空間Ｓ１の内容物は小径筒体２２ａに導入される。また中空ピストン２４が上方へ移動するに伴って、ステム２６を介して中空ピストン２４も上昇し、これにより大径筒体２２ｂ内は負圧となるため、逆止弁３０はエアーピストン本体部２９ａの裏面から離反し、外気が導入口２９ｃから大径筒体２２ｂに導入される。このため、次に蓋体６０を押圧すれば、再び内容物と空気とを合流空間Ｇに導入させて、発泡した内容物を吐出口５３から吐出することができる。
【００４２】
図３（ｂ）のように内容物を吐出した後は、指掛け部６４を指掛かりとして図３（ｃ）に示すように蓋体６０を開き、持ち手５２を摘まんで持ち上げれば、内容物の外形を維持したまま塗布具５０を取り出すことができる。このため、塗布具５０に載せ置かれた内容物の外形を目の前で見て楽しむことができ、また素手で直接触れなくても意図した部位へ内容物を塗布することができる。
【００４３】
以上、本発明について具体的な実施形態を示しながら説明したが、本発明に従うポンプ容器は上述した実施形態に限られるものではなく、特許請求の範囲に従う範疇で種々の変更を加えたものも含まれる。例えば、ポンプ２０は上述したものに限られず、他の構造を採用してもよい。また吐出口５３は、受皿部材４０に設けた凹部４４を介して排出口４３と連通しているが、このような凹部を塗布具５０に設けてもよい。また凹部の形状も種々選択可能であって、例えば１つの排出口４３から複数の吐出口５３のそれぞれに向けて延在する放射状のものであってもよい。
【００４４】
また、図示した実施形態において、塗布具５０の持ち手５２は、蓋体６０の指掛け部６４に対して周方向に同位置で設けられているが、周方向にずれた位置になるように配置してもよい。
【００４５】
また、塗布具５０は１つの部材で形成していたが、図４に示すように複数の部材で形成してもよい。図４に示した塗布具７０は、中央部材７１と枠部材７２の２つの部材で形成されている。ここで本実施形態の中央部材７１は、円板状をなすとともに中央部分の厚みが外周部よりも厚くなる形態をなしている。また中央部材７１には、塗布具５０の吐出口５３と同様の形状及び配置となる吐出口７３が設けられている。そして枠部材７２は、円環状の外周部分７２ａと、外周部分７２ａから径方向外側に突出する突出部分（持ち手）７２ｂとで構成されている。なお、先に説明した塗布具本体５１に相当する部分は、本実施形態では中央部材７１と外周部分７２ａで構成している。このように２つの部材で塗布具７０を形成するにあたっては、どちらも同じ色や同じ素材としてもよいが、見栄えを良くするために色を変えてもよいし、例えば中央部材７１を軟質材で形成することによって肌あたりを高めつつ、枠部材７２は硬質材で形成して強度を保つようにしてもよい。
【００４６】
なお塗布具に設ける吐出口は、図５に示した塗布具７０’に設けた吐出口７３’の如きものでもよい。本実施形態の吐出口７３’は、数や配置は図５の吐出口７３と同様出あるが、平面視において台形状であって、下方から上方に向かって拡径するように形成されている。
【００４７】
また図６に示す塗布具８０のように、塗布具本体８１に持ち手８２、及び円形状の吐出口８３を設けるとともに、塗布具本体８１から上方に向かって複数の突起８４が突出するものであってもよい。このような塗布具８０によれば、突起８４がブラシのように機能するため、例えば内容物がヘアカラーであれば、塗布具８０に吐出させた内容物が髪全体に行き渡るように塗布することができる。また、美容液等を内容物とする場合は、内容物を塗布しながらマッサージ効果を得ることも可能である。
【符号の説明】
【００４８】
１０：容器本体
１１：底部
１２：胴部
１３：口部
１４：雄ねじ部
２０：ポンプ
２１：ベースキャップ
２１ａ：ベースキャップ本体
２１ｂ：雌ねじ部
２２：シリンダー
２２ａ：小径筒体
２２ｂ：大径筒体
２３：パッキン
２４：中空ピストン
２５：ポペット
２６：ステム
２６ａ：支持壁
２７：スプリング
２８：ボール弁
２９：エアーピストン
２９ａ：エアーピストン本体部
２９ｂ：筒状ガイド
２９ｃ：導入口
３０：逆止弁
３１：ホルダー
３２：発泡部材
４０：受皿部材
４１：内側筒
４２：天壁
４３：排出口
４４：凹部
４５：脱落防止壁
４６：外側支持部
４７：外側軸孔
５０：塗布具
５１：塗布具本体
５２：持ち手
５３：吐出口
６０：蓋体
６１：蓋体本体
６１ａ：リブ
６２：内側支持部
６３：内側軸孔
６４：指掛け部
７０：塗布具
７１：中央部材
７２：枠部材
７２ａ：外周部分
７３：吐出口
８０：塗布具
８１：塗布具本体
８２：持ち手
８３：吐出口
８４：突起
Ｇ：合流空間
Ｊ：軸体
Ｓ１：収容空間
Ｓ２：空間
【図１】
2019127298.tif 000003
【図２】
2019127298.tif 000004
【図３】
2019127298.tif 000005
【図４】
2019127298.tif 000006
【図５】
2019127298.tif 000007
【図６】
2019127298.tif 000008